(57)【要約】【課題】煩わしい操作なしに、ズーム倍率によらず動きの速い被写体をフレーミングし易い撮像装置を提供する。【解決手段】撮像領域の一部を切り出して記録するズーム状態において、切り出し記録領域と同じ領域を表示領域として表示手段に表示する第１表示モード（Ｓ２０６）と、切り出し記録領域よりも広い領域を表示領域として表示手段に表示させる第２表示モード（Ｓ２０５）とを切り換え可能な撮像装置において、ズーム状態が所定ズーム倍率以上かどうかで第１表示モードと第２表示モードを切り換える表示制御手段（Ｓ２０４）を有する。【選択図】図２
2010288170.tif 000002
【特許請求の範囲】
【請求項１】
撮像領域の一部を切り出して記録するズーム状態において、切り出し記録領域と同じ領域を表示領域として表示手段に表示する第１表示モードと、切り出し記録領域よりも広い領域を表示領域として前記表示手段に表示させる第２表示モードとを切り換え可能な撮像装置において、
前記ズーム状態が所定ズーム倍率以上かどうかで前記第１表示モードと前記第２表示モードを切り換える表示制御手段を有することを特徴とする撮像装置。
【請求項２】
前記表示制御手段は、前記所定ズーム倍率以上の高倍率になったら前記第２表示モードに切り換え、前記所定ズーム倍率未満の低倍率になったら前記第２表示モードを解除して前記第１表示モードに切り換えることを特徴とする請求項１に記載の撮像装置。
【請求項３】
撮像領域の一部を切り出して記録するズーム状態において、切り出し記録領域と同じ領域を表示領域として表示手段に表示する第１表示モードと、切り出し記録領域よりも広い領域を表示領域として前記表示手段に表示させる第２表示モードとを切り換え可能な撮像装置において、
画面内における主被写体を検出する検出手段と、
前記検出された主被写体の前記画面内における主被写体サイズを算出する算出手段と、
前記算出された主被写体サイズが所定主被写体サイズ以上かどうかで前記第１表示モードと前記第２表示モードを切り換える表示制御手段とを有することを特徴とする撮像装置。
【請求項４】
前記表示制御手段は、前記算出された主被写体サイズが所定主被写体サイズ以上の高倍率になったら前記第２表示モードに切り換え、前記算出された主被写体サイズが所定主被写体サイズ未満の低倍率になったら前記第２表示モードを解除して前記第１表示モードに切り換えることを特徴とする請求項３に記載の撮像装置。
【請求項５】
前記主被写体を検出する検出手段は、顔検出手段であることを特徴とする請求項３または４に記載の撮像装置。
【発明の詳細な説明】
【技術分野】
【０００１】
本発明は、記録領域より広範な領域を表示しながらフレーミング可能なデジタルカメラ等の撮像装置に関するものである。
【背景技術】
【０００２】
従来、デジタルカメラにおいては、撮像素子に結像された画像をカメラ本体に設けられたビューファインダの表示画面に表示させながら、ユーザーが所望するタイミングで撮影した静止画像を順次メモリカード等に記録するようになされている。
【０００３】
このようなデジタルカメラの多くは、ユーザーの操作に応じて光学ブロック内のレンズ系を制御しながら被写体の撮影範囲を所望の倍率にズームインまたはズームアウトさせる光学ズーム機能を搭載している。さらには、撮像素子に結像された画像の一部を、所定の画像処理を施して補間及び拡大処理させる電子ズーム機能を搭載している。
【０００４】
ところで、上述の電子ズーム機能を用いてユーザーが撮影を行う際、静止状態にある被写体であれば所望の倍率でズームインしても容易に撮影範囲内に捉えることができる。しかし、例えば運動会やスポーツ観戦など比較的動きの速い被写体にズームインする場合、常に撮影範囲内に捉えるように追従させるのは困難であった。
【０００５】
この点に鑑み、電子ズーム時に撮像素子の受光領域のうち、画像の記録には使用されない周辺部分を使用して、ビューファインダの表示画面に、記録する画像の周辺部分も同時に表示させる技術（以下、ワイドビュー）が提案されている（特許文献１）。
【先行技術文献】
【特許文献】
【０００６】
【特許文献１】特開２００６−１４２２１号公報
【発明の概要】
【発明が解決しようとする課題】
【０００７】
しかしながら、特許文献１では、ユーザーの指示に従ってワイドビュー表示を行うように構成されており、ワイドビューへの切り換えに関して、ズーム操作との連動は考慮されていない。そのため、例えばズームイン操作の後にワイドビューに切り換える、ズームアウト操作の後にワイドビューを解除する、といった煩わしい操作が必要になるという課題を有していた。ワイドビューはズーム低倍率時および被写体が画面全体に対して小さい時には不要であり、むしろフレーミングを妨げることも考えられる。一方、ズーム高倍率時および被写体が画面全体に対して大きい時にはフレーミングを容易にすることが可能になるため、ズーム操作に連動してワイドビューへの切り換えを行うことが望ましい。
【０００８】
（発明の目的）
本発明の目的は、煩わしい操作なしに、ズーム倍率によらず動きの速い被写体をフレーミングし易い撮像装置を提供しようとするものである。
【課題を解決するための手段】
【０００９】
上記目的を達成するために、本発明は、撮像領域の一部を切り出して記録するズーム状態において、切り出し記録領域と同じ領域を表示領域として表示手段に表示する第１表示モードと、切り出し記録領域よりも広い領域を表示領域として前記表示手段に表示させる第２表示モードとを切り換え可能な撮像装置において、前記ズーム状態が所定ズーム倍率以上かどうかで前記第１表示モードと前記第２表示モードを切り換える表示制御手段を有する撮像装置とするものである。
【発明の効果】
【００１０】
本発明によれば、煩わしい操作なしに、ズーム倍率によらず動きの速い被写体をフレーミングし易い撮像装置を提供できるものである。
【図面の簡単な説明】
【００１１】
【図１】本発明の実施例１および２に係る撮像装置の構成を示すブロック図である。
【図２】実施例１に係る電子ズーム時の動作を示すフローチャートである。
【図３】実施例１に係る電子ズーム時の記録領域、表示領域などを示す図である。
【図４】実施例１に係る電子テレコン時の動作を示すフローチャートである。
【図５】実施例１に係る電子テレコン時の記録領域、表示領域などを示す図である。
【図６】実施例２に係る電子ズーム時の動作を示すフローチャートである。
【図７】実施例２に係る顔検出時の動作を示すフローチャートである。
【発明を実施するための形態】
【００１２】
本発明を実施するための形態は、以下の実施例１および２に示す通りである。
【実施例１】
【００１３】
図１は本発明の実施例１に係る撮像装置の構成を示すブロック図である。図１において、１００は撮像装置である。１０は撮影レンズ、１２は絞り機能を備えるシャッタ、１４は撮像素子、１６はＡ／Ｄ変換器である。１８は撮像素子１４、Ａ／Ｄ変換器１６、Ｄ／Ａ変換器２６にクロック信号や制御信号を供給するタイミング発生部であり、後述のメモリ制御部２２及びシステム制御部５０により制御される。
【００１４】
２０は画像処理部であり、Ａ／Ｄ変換器１６からのデータ或いはメモリ制御部２２からのデータに対して所定の画素補間処理や色変換処理を行う。また、画像処理部２０によって画像の切り出し、変倍処理を行うことで電子ズーム機能が実現される。この画像処理部２０においては撮像した画像データを用いて所定の演算処理を行い、得られた演算結果に基づいてシステム制御部５０が、露光制御部４０、測距制御部４２に対して以下の処理を行わせる。つまり、ＴＴＬ（スルー・ザ・レンズ）方式のＡＦ（オートフォーカス）処理、ＡＥ（自動露出）処理、ＡＷＢ（オートホワイトバランス）処理、ＥＦ（フラッシュプリ発光）処理を行わせる。
【００１５】
２２はメモリ制御部であり、Ａ／Ｄ変換器１６、タイミング発生部１８、画像処理部２０、画像表示メモリ２４、Ｄ／Ａ変換器２６、メモリ３０、圧縮・伸長部３２を制御する。上記Ａ／Ｄ変換器１６のデータが、画像処理部２０、メモリ制御部２２を介して、或いはＡ／Ｄ変換器１６のデータが直接メモリ制御部２２を介して、後述の画像表示メモリ２４或いはメモリ３０に書き込まれる。
【００１６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。また、画像表示部２８を用いて撮像した画像データを逐次表示すれば、電子ビューファインダ機能を実現することが可能である。画像表示部２８は、システム制御部５０の指示により任意に表示をＯＮ／ＯＦＦすることが可能であり、表示をＯＦＦにした場合には撮像装置１００の電力消費を大幅に低減することが出来る。
【００１７】
３０は撮影した静止画像や動画像を格納するためのメモリである。このメモリ３０はシステム制御部５０の作業領域としても使用することが可能である。３２は適応離散コサイン変換（ＡＤＣＴ）、ウェーブレット変換等により画像データを圧縮伸長する圧縮・伸長部であり、メモリ３０に格納された画像を読み込んで圧縮処理或いは伸長処理を行い、処理を終えたデータをメモリ３０に書き込む。４０は絞り機能を備えるシャッタ１２を制御する露光制御部である。４２は撮影レンズ１０のフォーカシングを制御する測距制御部、４４は撮影レンズ１０の光学的なズーミングを制御するズーム制御部、４６はバリアである保護部材１０２の動作を制御するバリア制御部である。４８はフラッシュであり、ＡＦ補助光の投光機能、フラッシュ調光機能も有する。
【００１８】
５０は撮像装置１００全体を制御するシステム制御部、５２はシステム制御部５０の動作用の定数、変数、プログラム等を記憶するメモリである。５４はシステム制御部５０でのプログラムの実行に応じて、文字、画像を用いて動作状態やメッセージ等を表示する液晶表示装置等の表示部である。この表示部５４は、撮像装置１００の操作部近辺の視認し易い位置に単数或いは複数個所設置され、例えばＬＣＤやＬＥＤ等の組み合わせにより構成されている。また、表示部５４はその一部の機能が光学ファインダ１０４内に設置されている。
【００１９】
５６は電気的に消去・記録可能な不揮発性メモリであり、例えばＥＥＰＲＯＭ等が用いられる。電源スイッチ（メインスイッチ）６０、スイッチ（ＳＷ１）６２、スイッチ（ＳＷ２）６４、モードダイアル６６、操作部７０及びズームスイッチ７２は、システム制御部５０の各種の動作指示を入力するための操作部材である。これらは、スイッチやダイアル、タッチパネル、視線検知によるポインティング、音声認識装置等の単数或いは複数の組み合わせで構成される。
【００２０】
操作部７０は電子テレコンバータ設定ボタンを有する。ズームスイッチ７２は、撮影画角を望遠側にズームさせるテレスイッチと、広角側にズームさせるワイドスイッチからなる。このズームスイッチ７２を用いてズーム制御部４４に撮影レンズ１０のズーミングを指示し、光学ズーム操作を行ったり、画像処理部２０による画像の切り出し、変倍処理をし、電子ズーム操作を行ったりする。
【００２１】
８０は電源制御部、８２はコネクタ、８４はコネクタである。８６は種々の一次電池や二次電池、ＡＣアダプター等からなる電源である。９０はメモリカードやハードディスク等の記録媒体とのインタフェース、９２はコネクタである。
【００２２】
１０２は、撮像装置１００のレンズ１０を含む撮像部を覆う事により、撮像部の汚れや破損を防止するバリアである保護部材である。１０４は光学ファインダであり、画像表示部２８による電子ビューファインダ機能を使用すること無しに、光学ファインダのみを用いて撮影を行うことが可能である。
【００２３】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により撮像装置１００を他の機器と接続するコネクタ或いは無線通信の場合はアンテナである。
【００２４】
２００はメモリカードやハードディスク等の記録媒体である。この記録媒体２００は、半導体メモリや磁気ディスク等から構成される記録部２０２、撮像装置１００とのインタフェース２０４、撮像装置１００と接続を行うコネクタ２０６を備えている。
【００２５】
次に、図２〜図５を参照して、本発明の実施例１に係る主要部分の動作について説明する。
【００２６】
＜電子ズーム＞
図２は、本実施例１に係る撮像装置１００での電子ズーム時の動作を示すフローチャートである。
【００２７】
ズームスイッチ７２が操作されることにより、システム制御部５０は、電子ズーム処理を開始する。電子ズームでは、撮像素子１４に結像される画像のうちの一部の領域を画像処理部２０を用いて切り出し、画素補間等による拡大処理間または間引き等による縮小処理をする。そして、圧縮・伸長部３２を用いて圧縮した後、静止画像として記録媒体２００内の記録部２０２に記録することでズーム効果が得られる。また、ズームスイッチ７２の操作に応じて、撮像素子１４に結像される画像から画像処理部２０を用いて切り出す領域を大きくまたは小さくすることで、記録画角の変更を行う。その際、画像表示部２８の電子ビューファインダー表示に関して以下のように制御することで、煩わしい操作なしに、ズーム倍率によらず動きの速い被写体をフレーミングし易い撮像装置が提供できる。
【００２８】
図２において、先ずステップＳ２０１にて、システム制御部５０は、ズームスイッチ７２の状態を調べ、テレ（Ｔｅｌｅ）スイッチがＯＮならばステップＳ２０２へ進む。そして、このステップＳ２０２では、記録領域、つまり記録時における画像処理部２０による画像の切り出し領域を小さくし、電子ズーム倍率をアップ（ＵＰ）することで、望遠側に画角変更を行う。一方、ワイド（Ｗｉｄｅ）スイッチがＯＮならばステップＳ２０３へ進み、記録領域、つまり記録時における画像処理部２０による画像の切り出し領域を大きくし、電子ズーム倍率をダウン（ＤＯＷＮ）することで、広角側に画角変更を行う。
【００２９】
次のステップＳ２０４では、システム制御部５０は、ズーム倍率が例えば電子ズーム倍率２倍といった所定倍率以上であるかの判定を行う。所定倍率としては、どのズーム倍率でもフレーミングがし易いように適切な倍率を設定すればよい。また、ここで言うズーム倍率は、電子ズーム倍率のみとしても、光学ズームと電子ズームを合わせた倍率としてもよい。ズーム倍率が所定倍率以上であったならばステップＳ２０５へ進み、ワイドビュー表示を行う。ワイドビュー表示では、画像表示部２８に撮像素子１４に結像される画像のうちの一部である記録領域だけでなく、その周辺部分も表示させるようにする。つまり、画像表示部２８に表示させる表示領域を記録領域より広い領域に設定する。
【００３０】
ズーム倍率が高くなると記録領域のみを表示したのでは、被写体を画面から見失いやすくなり、フレーミングが困難になる。そのため、このように所定倍率以上となったら記録領域を含むより広い領域を表示するワイドビュー表示にすることで、ズーム倍率によらず動きの速い被写体を撮影範囲内に捉えるように追従させることが比較的容易となる。また、ユーザーが記録領域を認識できるように、画像表示部２８に記録領域を示す枠等を表示する。
【００３１】
また、上記ステップ２０４にてズーム倍率が所定倍率以上でないと判定した場合はステップＳ２０６へ進み、システム制御部５０は、ノーマルビュー表示を行う。ノーマルビュー表示では、画像表示部２８に、撮像素子１４に結像される画像のうちの一部である記録領域だけを表示させるようにする。つまり、画像表示部２８に表示させる表示領域を記録領域と同じ領域に設定する。
【００３２】
このようにすることで、煩わしい操作なしに、フレーミングし易い表示を行うことが可能となる。
【００３３】
次のステップＳ２０７では、システム制御部５０は、電子ズーム倍率が最大かどうかを判定し、電子ズーム倍率が最大であったならば、電子ズーム処理を終了する。電子ズーム倍率が最大でなかったならばステップＳ２０８へ進み、ここでは電子ズーム倍率が１倍、つまり電子ズームなしかどうかを判定し、電子ズーム倍率が１倍であったならば、電子ズーム処理を終了する。
【００３４】
また、上記ステップＳ２０８にて電子ズーム倍率が１倍でないと判定した場合はステップＳ２０９へ進み、システム制御部５０は、ズームスイッチ７２の状態を調べ、ズームスイッチがＯＦＦならば、電子ズーム処理を終了する。ズームスイッチがＯＮならばステップＳ２０１に戻り、同様の動作を繰り返す。
【００３５】
図３は、電子ズーム時のワイドビュー表示（Ｓ２０５）およびノーマルビュー表示（Ｓ２０６）における記録領域、表示領域、表示画面、記録画像の一例を示す図である。
【００３６】
図３において、３００は撮像素子１４の撮像領域、３０１ａ〜３０１ｅは電子ズームオフ、電子ズームポジョン１〜４である電子ズーム位置（ａ）〜（ｅ）での記録領域、３０２ａ〜３０２ｅは電子ズーム位置（ａ）〜（ｅ）での表示領域である。また、３０３ａ〜３０３ｅは電子ズーム位置（ａ）〜（ｅ）での表示画面の例、３０４ｄ，３０４ｅは電子ズーム位置（ｄ）および（ｅ）での記録範囲を示す枠である。図３の例では、電子ズーム位置（ａ），（ｂ），（ｃ）ではノーマルビュー、電子ズーム位置（ｄ）,（ｅ）ではワイドビューとなっている。
【００３７】
電子ズーム倍率を（ａ）から（ｅ）へと上げていくと、記録領域３０１ａ〜３０１ｅは、撮像素子１４の撮像領域３００に対して小さくなっていく。一方、ノーマルビューにおける表示領域３０２ａ〜３０２ｃは、それぞれ記録領域３０１ａ〜３０１ｃと同一領域となる。しかし、ズーム倍率が所定倍率以上のときのワイドビューにおける表示領域３０２ｄ，３０２ｅは、それぞれ記録領域３０１ｄ，３０１ｅよりも広い領域となる。
【００３８】
つまり、ノーマルビューにおいては、表示画面３０３ａ〜３０３ｃのように、画像表示部２８の画面全体に記録領域が表示され、ワイドビューにおいては、表示画面３０３ｄ，３０３ｅのように、画像表示部２８に記録領域の周辺部分も同時に表示される。また、ワイドビューにおいては、表示領域内の記録領域を示す枠３０４ｄ，３０４ｅが表示される。
【００３９】
＜電子テレコンバータ（以下、電子テレコン）＞
電子テレコンとは、電子ズーム倍率、つまり画像のうち切り出して記録する領域を一定としたまま光学ズーム操作を可能としたモードであり、あたかも光学レンズにテレコンバータを装着したのと同様の効果が得られる。
【００４０】
図４は、本実施例１に係る撮像装置１００での電子テレコン時の動作を示すフローチャートである。
【００４１】
操作部７０の電子テレコン設定ボタン（不図示）やメニュー操作による電子テレコン設定指示により、システム制御部５０は、撮像装置１００を電子テレコン状態に設定する。電子テレコンでは、電子ズームと同様に、撮像素子１４に結像される画像のうちの一部の領域を画像処理部２０を用いて切り出し、画素補間等による拡大処理間または間引き等による縮小処理をする。そして、圧縮・伸長部３２を用いて圧縮した後、静止画像として記録部２０２に記録することで、撮影レンズ１０にテレコンバータを装着したような効果が得られる。そして、ズームスイッチ７２の操作に応じて、ズーム制御部４４により撮影レンズ１０の撮像画角の変更を行う光学ズームにより、記録画角の変更を行うことができる。その際、画像表示部２８の電子ビューファインダー表示に関して以下のように制御することで、煩わしい操作なしに、ズーム倍率によらず動きの速い被写体をフレーミングし易い撮像装置が提供できる。
【００４２】
図４において、光学ズーム倍率を変更するためにズームスイッチ７２の操作がなされることにより、システム制御部５０は、電子テレコン状態でのズーム処理を開始し、先ずステップＳ４０１では、ズームスイッチ７２の状態を調べる。そして、テレスイッチがＯＮならばステップＳ４０２へ進み、ズーム制御部４４に撮影レンズ１０の撮像画角を望遠側に変更するように指示し、光学ズーム倍率をＵＰさせる。一方、ワイドスイッチがＯＮならばステップＳ４０１からステップＳ４０３へ進み、ズーム制御部４４に撮影レンズ１０の撮像画角を望遠側に変更するように指示し、光学ズーム倍率をＤＯＷＮさせる。
【００４３】
次のステップＳ４０４では、システム制御部５０は、ズーム倍率が所定倍率以上であるかどうかの判定を行う。ここで言うズーム倍率は、光学ズーム倍率のみとしても、光学ズーム倍率に電子テレコン倍率を加味した実質の倍率（光学ズーム倍率×電子テレコン倍率）としてもよい。例えば光学ズーム倍率４倍で電子テレコン倍率が２倍なら、あわせた実質の倍率は８倍となる。ズーム倍率が所定倍率以上であったならステップＳ４０５へ進み、ワイドビュー表示を行う。ワイドビュー表示では、画像表示部２８に、撮像素子１４に結像される画像のうちの一部である記録領域だけでなく、その周辺部分も表示させるようにする。つまり、画像表示部２８に表示させる表示領域を記録領域より広い領域に設定する。
【００４４】
このようにワイドビュー表示にすることで、動きの速い被写体を撮影範囲内に捉えるように追従させることが比較的容易となる。また、ユーザーが記録領域を認識できるように、表示部５４に記録領域を示す枠等を表示する。
【００４５】
また、上記ステップＳ４０４にてズーム倍率が所定倍率以上でないと判定した場合はステップＳ４０６へ進み、システム制御部５０は、ノーマルビュー表示を行う。ノーマルビュー表示では、表示部５４に撮像素子１４に結像される画像のうちの一部である記録領域だけを表示させるようにする。つまり、表示部５４に表示させる表示領域を記録領域と同じ領域に設定する。
【００４６】
このようにすることにより、煩わしい操作なしに、フレーミングし易い表示を行うことが可能となる。
【００４７】
次のステップＳ４０７では、システム制御部５０は、光学ズームが望遠端かどうかを判定し、光学ズームが望遠端であったならば、電子テレコン状態でのズーム処理を終了する。光学ズームが望遠端でなかったならばステップＳ４０８へ進み、光学ズームが広角端かどうかを判定し、光学ズームが広角端であったならば、電子テレコン状態でのズーム処理を終了する。
【００４８】
また、上記ステップＳ４０７にて光学ズームが広角端でないと判定した場合はステップＳ４０９へ進み、システム制御部５０は、ズームスイッチ７２の状態を調べ、ズームスイッチがＯＦＦならば、電子テレコン状態でのズーム処理を終了する。ズームスイッチがＯＮならばステップＳ４０１に戻り、同様の動作を繰り返す。
【００４９】
図５は、電子テレコン時のワイドビュー表示（Ｓ４０５）およびノーマルビュー表示（Ｓ４０６）における記録領域、表示領域、表示画面、記録画像の一例を示す図である。
【００５０】
図５において、５００は撮像素子１４の撮像領域、５０１ａ〜５０１ｅは光学ズーム広角端、光学ズームポジション１〜４である光学ズーム位置（ａ）〜（ｅ）での記録領域、５０２ａ〜５０２ｅは光学ズーム位置（ａ）〜（ｅ）での表示領域である。また、５０３ａから５０３ｅは光学ズーム位置（ａ）〜（ｅ）での表示画面の例、５０４ｄ，５０４ｅは光学ズーム位置（ｄ）および（ｅ）での記録範囲を示す枠である。図５の例では、光学ズーム位置（ａ），（ｂ），（ｃ）がノーマルビュー、光学ズーム位置（ｄ）,（ｅ）がワイドビューとなっている。
【００５１】
光学ズーム倍率を（ａ）から（ｅ）へと上げても、電子ズーム時と異なり、電子テレコンでは、撮像素子１４の結像領域５００に対して、記録領域５０１ａ〜５０１ｅは常に一定である。ノーマルビューにおける表示領域５０２ａ〜５０２ｃは、記録領域５０１ａ〜５０１ｃと同一領域となる。しかし、ズーム倍率が所定倍率以上のときのワイドビューにおける表示領域５０２ｄ，５０２ｅは、記録領域５０１ｄ，５０１ｅよりも広い領域となる。
【００５２】
つまり、ノーマルビューにおいては、表示画面５０３ａ〜５０３ｃのように、画像表示部２８の画面全体に記録領域が表示され、ワイドビューにおいては、表示画面５０３ｄ，５０３ｅのように、画像表示部２８に記録領域の周辺部分も同時に表示される。また、ワイドビューにおいては、表示領域内の記録領域を示す枠５０４ｄ、５０４ｅが表示される。
【００５３】
上記の実施例１における撮像装置は、撮像領域の一部を切り出して記録する電子ズーム状態もしくは電子テレコン状態において、切り出し記録領域と同じ領域を表示領域として画像表示部２８に表示する第１表示モード（ノーマルビュー）を有する。さらに、切り出し記録領域よりも広い領域を表示領域として画像表示部２８に表示させる第２表示モード（ワイドビュー）を有する。そして、所定ズーム倍率（所定倍率）以上かどうかで第１表示モードと第２表示モードを切り換えるようにしている。詳しくは、所定ズーム倍率以上の高倍率になったら、ワイドビューである第２表示モードに切り換え、所定ズーム倍率未満の低倍率になったら、ワイドビューを解除してノーマルビューである第１表示モードに切り換えるようにしている。
【００５４】
よって、煩わしい操作なしに、ズーム倍率によらずフレーミングし易い表示を行うことが可能な、使い勝手の良い撮像装置とすることができる。
【実施例２】
【００５５】
次に、本発明の実施例２に係る撮像装置の主要部分の動作について、図６および図７のフローチャートを用いて説明する。なお、撮像装置の構成は図１と同様であるものとし、その詳細は省略する。
【００５６】
＜電子ズーム＞
図６は、本実施例２に係る撮像装置１００での電子ズーム時の動作を示すフローチャートである。
【００５７】
ズームスイッチ７２の操作がなされることにより、システム制御部５０は、電子ズーム処理を開始する。電子ズームでは、撮像素子１４に結像される画像のうちの一部の領域を画像処理部２０を用いて切り出し、画素補間等による拡大処理間または間引き等による縮小処理をする。そして、圧縮・伸長部３２を用いて圧縮した後、静止画像として記録部２０２に記録することでズーム効果が得られる。そして、ズームスイッチ７２の操作に応じて、撮像素子１４に結像される画像から画像処理部２０を用いて切り出す領域を大きくまたは小さくすることで、記録画角の変更を行う。その際、画像表示部２８の電子ビューファインダー表示に関して以下のように制御することで、煩わしい操作なしに、ズーム倍率によらず動きの速い被写体をフレーミングし易い撮像装置が提供できる。
【００５８】
先ず、ステップＳ６０１では、システム制御部５０は、ズームスイッチ７２の状態を調べる。テレスイッチがＯＮならばステップＳ２０２へ進み、記録領域、つまり記録時における画像処理回路２０による画像の切り出し領域を小さくし、電子ズーム倍率をＵＰさせることで、望遠側に画角変更を行う。一方、ワイドスイッチがＯＮならばステップＳ６０１からステップＳ６０３へ進み、記録領域、つまり記録時における画像処理部２０による画像の切り出し領域を大きくし、電子ズーム倍率をＤＯＷＮさせることで、広角側に画角変更を行う。
【００５９】
次のステップＳ６０４では、システム制御部５０は、画像表示メモリ２４に書き込まれた表示用の画像データに対して顔検出処理を行う。顔検出処理の結果、顔の有無、顔の個数、それぞれの顔のサイズ（幅・高さ）や位置座標、信頼性係数といった顔情報が得られる。この顔検出処理については図７を用いて後述する。
【００６０】
次のステップＳ６０５では、システム制御部５０は、上記ステップＳ６０４の顔検出処理において顔が検出できたかどうかを判定する。もし、顔が検出できていなければステップＳ６０７へ進み、ノーマルビュー表示を行う。ノーマルビュー表示では、画像表示部２８に撮像素子１４に結像される画像のうちの一部である記録領域だけを表示させるようにする。つまり、画像表示部２８に表示させる表示領域を記録領域と同じ領域に設定する。
【００６１】
また、上記ステップＳ６０６にて顔が検出できたと判定した場合はステップＳ６０６へ進み、システム制御部５０は、検出した顔のサイズが例えば画面の７０％といった所定サイズ以上であるかの判定を行う。所定サイズとしては、画面に対する顔のサイズによらずフレーミングがし易くなるように適切なサイズを設定すればよい。ここで顔のサイズが所定サイズ以上であったならばステップＳ６０８へ進み、ワイドビュー表示を行う。ワイドビュー表示では、画像表示部２８に撮像素子１４に結像される画像のうちの一部である記録領域だけでなく、その周辺部分も表示させるようにする。つまり、画像表示部２８に表示させる表示領域を記録領域より広い領域に設定する。
【００６２】
このようにワイドビュー表示にすることで、動きの速い被写体を撮影範囲内に捉えるように追従させることが比較的容易となる。また、ユーザーが記録領域を認識できるように、表示部５４に記録領域を示す枠等を表示する。
【００６３】
また、上記ステップＳ６０６にて顔のサイズが所定サイズ以上でないと判定した場合はステップＳ６０７へ進み、ノーマルビュー表示を行う。
【００６４】
このようにすることにより、主被写体が画面に対して大きくすぐに見失ってしまいそうな場合にはワイドビュー、主被写体が画面に対して小さく被写体を捉え続けるのが容易であるときにはノーマルビューに切り換えることができる。このため、煩わしい操作なしに、フレーミングし易い表示を行うことが可能となる。
【００６５】
次のステップＳ６０９では、システム制御部５０は、電子ズーム倍率が最大かどうかを判定し、電子ズーム倍率が最大であったならば、電子ズーム処理を終了する。電子ズーム倍率が最大でなかったならばステップＳ６０９からステップＳ６１０へ進み、ここでは電子ズーム倍率が１倍、つまり電子ズームなしかどうかを判定し、電子ズーム倍率が１倍であったならば、電子ズーム処理を終了する。
【００６６】
また、上記ステップＳ６０９にて電子ズーム倍率が１倍でないと判定した場合はステップＳ６１１へ進み、システム制御部５０は、ズームスイッチ７２の状態を調べ、ズームスイッチがＯＦＦならば、電子ズーム処理を終了する。ズームスイッチがＯＮならばステップＳ６０１に戻り、同様の動作を繰り返す。
【００６７】
ここでは、主被写体を検出する手段として、顔検出を用いた例で説明したが、顔検出だけに限定されるものではない。例えば、タッチパネルを用いてユーザーが指定した領域を主被写体として検出するようにしたり、1フレーム前の画像との差分情報から移動体を検出し主被写体とするようにしたりしてもよい。また、電子ズームに関して説明したが、電子テレコン時の光学ズーム操作でも同様である。
【００６８】
次に、図６のステップＳ６０４における顔検出処理の詳細について、図７のフローチャートを用いて説明する。
【００６９】
先ず、ステップＳ７０１にて、システム制御回路５０は、顔検出対象の画像データを画像処理部２０に送る。そして、次のステップＳ７０２にて、画像処理部２０を制御し、当該画像データに水平方向バンドパスフィルタを作用させる。続くステップＳ７０３では、画像処理部２０を制御し、上記ステップＳ７０２で処理された画像データに垂直方向バンドパスフィルタを作用させる。これら水平及び垂直方向のバンドパスフィルタにより、画像データよりエッジ成分が検出される。
【００７０】
次のステップＳ７０４では、システム制御部５０は、検出されたエッジ成分に関してパターンマッチングを行い、目及び鼻、口、耳の候補群を抽出する。そして、次のステップＳ７０５にて、上記ステップＳ７０４で抽出された目の候補群の中から、予め設定された条件（例えば２つの目の距離、傾き等）を満たすものを、目の対と判定し、目の対があるもののみ目の候補群として絞り込む。
【００７１】
そして、次のステップＳ７０６にて、システム制御回路５０は、上記テップＳ７０５で絞り込まれた目の候補群とそれに対応する顔を形成する他のパーツ（鼻、口、耳）を対応付け、また、予め設定した非顔条件フィルタを通すことで、顔を検出する。続くステップＳ７０７では、上記ステップＳ７０６による顔の検出結果に応じて上記顔情報を出力し、処理を終了する。このとき、顔の数などの特徴量をメモリ５２に記憶する。
【００７２】
上記の実施例２における撮像装置は、撮像領域の一部を切り出して記録する電子ズーム状態もしくは電子テレコン状態において、切り出し記録領域と同じ領域を表示領域として画像表示部２８に表示する第１表示モード（ノーマルビュー）を有する。さらに、切り出し記録領域よりも広い領域を表示領域として画像表示部２８に表示させる第２表示モード（ワイドビュー）を有する。さらに、画面内における主被写体を検出（この実施例２では、顔検出）し、該画面内における主被写体（顔）のサイズを算出する手段とを有する。
【００７３】
そして、算出された主被写体サイズが所定主被写体サイズ（顔サイズが所定倍率）以上かどうかで第１表示モードと第２表示モードを切り換えるようにしている。詳しくは、所定主被写体サイズ以上の高倍率になったら、ワイドビューである第２表示モードに切り換え、所定所定主被写体サイズ未満の低倍率になったら、ワイドビューを解除してノーマルビューである第１表示モードに切り換えるようにしている。
【００７４】
よって、上記実施例１と同様、煩わしい操作なしに、ズーム倍率によらずフレーミングし易い表示を行うことが可能な、使い勝手の良い撮像装置とすることができる。
【００７５】
（本発明と実施例の対応）
画像表示部２８が本発明の表示手段に、ノーマルビューが本発明の第１表示モードに、ワイドビューが本発明の第２表示モードに、それぞれ相当する。また、システム制御部５０内の図２のステップＳ２０４もしくは図４のステップＳ４０４もしくは図６のステップＳ６０６の動作を行う部分が、本発明の、表示制御手段に相当する。また、システム制御部５０内の図６のステップＳ６０４の動作を行う部分が、本発明の、主被写体を検出する検出手段（顔検出手段）に、システム制御部５０内の図４のステップＳ６０４の動作を行う部分が、本発明の、算出手段に、それぞれに相当する。なお、ズーム状態とは、電子ズーム状態と電子テレコン状態を含むものである。
【符号の説明】
【００７６】
２０    画像処理部
２２    メモリ制御部
２４    画像表示メモリ
２８    画像表示部
４４    ズーム制御部
５０    システム制御部
５２    メモリ
７０    操作部
７２    ズームスイッチ
【図１】
2010288170.tif 000003
【図２】
2010288170.tif 000004
【図３】
2010288170.tif 000005
【図４】
2010288170.tif 000006
【図５】
2010288170.tif 000007
【図６】
2010288170.tif 000008
【図７】
2010288170.tif 000009